(57)【要約】【課題】カタログ雑誌に掲載された景品を速やかに選択することができ、景品をタイムリーに注文することができる受発注システムを提供する。【解決手段】この受発注システム１０は、アミューズメント施設端末装置１３，１４と仕入先端末装置１７，１８とサーバ１９とから形成されている。サーバ１９は、景品カタログのカタログデータを記憶しつつ、景品カタログに掲載された景品の景品データをカタログ別に区分して記憶する商品情報第１記憶手段と、端末装置１３，１４の要求に応じてカタログデータを端末装置１３，１４に送信するカタログデータ送信手段と、端末装置１３，１４が選択したカタログデータに対応する景品データを端末装置１３，１４に送信する景品データ第１送信手段と、端末装置１３，１４が選択した発注予定の景品データを端末装置１７，１８に送信する景品データ第２送信手段とを実行する。【選択図】図１
2009258959.tif 000002
【特許請求の範囲】
【請求項１】
複数のアミューズメント施設に設置された第１端末装置と、各種売品を前記アミューズメント施設に販売する複数の仕入先に設置された第２端末装置と、それら売品に関する情報をインターネットを介して前記第１および第２端末装置に提供するサーバ装置とから形成され、
前記サーバ装置が、前記アミューズメント施設の利用者の遊戯に対して提供する各種複数の景品を掲載した各種複数の景品カタログのカタログデータを記憶しつつ、それら景品カタログに掲載された各種複数の景品の景品データをカタログ別に区分して記憶する商品情報第１記憶手段と、前記第１端末装置が前記カタログデータを要求したときに、それらカタログデータを該第１端末装置に送信するカタログデータ送信手段と、前記第１端末装置がそれらカタログデータの中から少なくとも一つのそれを選択したときに、選択されたカタログデータに対応する景品データを該第１端末装置に送信する景品データ第１送信手段と、前記第１端末装置がそれら景品データの中から前記仕入先に発注する景品データを選択したときに、選択された景品データを前記第２端末装置に送信する景品データ第２送信手段とを有する受発注システム。
【請求項２】
前記商品情報第１記憶手段では、前記景品データを前記景品カタログの各ページ毎に区分して記憶し、前記景品データ第１送信手段では、前記第１端末装置がそれらカタログデータの中から少なくとも一つのそれを選択しつつそれらページの中から少なくとも一つのそれを指定したときに、選択されたカタログデータの指定されたページに対応する景品データを該第１端末装置に送信する請求項１記載の受発注システム。
【請求項３】
前記商品情報第１記憶手段では、前記景品データを前記景品カタログに掲載された景品の景品種別に区分して記憶し、前記景品データ第１送信手段では、前記第１端末装置がそれらカタログデータの中から少なくとも一つのそれを選択しつつそれら景品種別の中から少なくとも一つのそれを指定したときに、選択されたカタログデータの指定された景品種別に対応する景品データを該第１端末装置に送信する請求項１または請求項２に記載の受発注システム。
【請求項４】
前記商品情報第１記憶手段では、前記景品データを前記景品カタログに掲載された景品の製造メーカー別に区分して記憶し、前記景品データ第１送信手段では、前記第１端末装置がそれらカタログデータの中から少なくとも一つのそれを選択しつつそれらメーカーの中から少なくとも一つのそれを指定したときに、選択されたカタログデータの指定されたメーカーに対応する景品データを該第１端末装置に送信する請求項１ないし請求項３いずれかに記載の受発注システム。
【請求項５】
前記商品情報第１記憶手段では、前記景品データを前記景品カタログに掲載されたイメージキャラクター別に区分して記憶し、前記景品データ第１送信手段では、前記第１端末装置がそれらカタログデータの中から少なくとも一つのそれを選択しつつそれらキャラクターの中から少なくとも一つのそれを指定したときに、選択されたカタログデータの指定されたキャラクターに対応する景品データを該第１端末装置に送信する請求項１ないし請求項４いずれかに記載の受発注システム。
【請求項６】
前記商品情報第１記憶手段では、前記景品データを前記景品カタログに掲載された景品のサイズ別に区分して記憶し、前記景品データ第１送信手段では、前記第１端末装置がそれらカタログデータの中から少なくとも一つのそれを選択しつつそれらサイズの中から少なくとも一つのそれを指定したときに、選択されたカタログデータの指定されたサイズに対応する景品データを該第１端末装置に送信する請求項１ないし請求項５いずれかに記載の受発注システム。
【請求項７】
前記商品情報第１記憶手段では、前記景品データを前記景品カタログに掲載された景品の価格帯別に区分して記憶し、前記景品データ第１送信手段では、前記第１端末装置がそれらカタログデータの中から少なくとも一つのそれを選択しつつそれら価格帯の中から少なくとも一つのそれを指定したときに、選択されたカタログデータの指定された価格帯に対応する景品データを該第１端末装置に送信する請求項１ないし請求項６いずれかに記載の受発注システム。
【請求項８】
前記商品情報第１記憶手段では、前記景品データを前記景品カタログに掲載された景品の商品コード別に区分して記憶し、前記景品データ第１送信手段では、前記第１端末装置がそれらカタログデータの中から少なくとも一つのそれを選択しつつそれら商品コードの中から少なくとも一つのそれを指定したときに、選択されたカタログデータの指定された商品コードに対応する景品データを該第１端末装置に送信する請求項１ないし請求項７いずれかに記載の受発注システム。
【請求項９】
前記商品情報第１記憶手段では、前記景品データを前記景品カタログに掲載された景品の景品名別に区分して記憶し、前記景品データ第１送信手段では、前記第１端末装置がそれらカタログデータの中から少なくとも一つのそれを選択しつつそれら景品名の中から少なくとも一つのそれを指定したときに、選択されたカタログデータの指定された景品名に対応する景品データを該第１端末装置に送信する請求項１ないし請求項８いずれかに記載の受発注システム。
【請求項１０】
前記サーバ装置が、前記景品を除く残余の商品の商品データを記憶する商品情報第２記憶手段と、前記第１端末装置が前記商品データを要求したときに、それら商品データを該第１端末装置に送信する商品データ第１送信手段と、前記第１端末装置がそれら商品データの中から前記仕入先に発注する商品データを選択したときに、選択された商品データを前記第２端末装置に送信する商品データ第２送信手段とを有する請求項１ないし請求項９いずれかに記載の受発注システム。
【請求項１１】
前記商品情報第２記憶手段では、前記商品データを商品の商品種別に区分して記憶し、前記商品データ第１送信手段では、前記第１端末装置がそれら商品種別の中から少なくとも一つのそれを指定したときに、指定された商品種別に対応する商品データを該第１端末装置に送信する請求項１０記載の受発注システム。
【請求項１２】
前記商品情報第２記憶手段では、前記商品データを商品の商品コード別に区分して記憶し、前記商品データ第１送信手段では、前記第１端末装置がそれら商品コードの中から少なくとも一つのそれを指定したときに、指定された商品コードに対応する商品データを該第１端末装置に送信する請求項１０または請求項１１に記載の受発注システム。
【請求項１３】
前記商品情報第２記憶手段では、前記商品データを商品の商品名別に区分して記憶し、前記商品データ第１送信手段では、前記第１端末装置がそれら商品名の中から少なくとも一つのそれを指定したときに、指定された商品名に対応する商品データを該第１端末装置に送信する請求項１０ないし請求項１２いずれかに記載の受発注システム。
【発明の詳細な説明】
【技術分野】
【０００１】
本発明は、インターネットを利用して各種の売品を受発注する受発注システムに関する。
【背景技術】
【０００２】
購買者から物品の注文を受け付ける注文受付部と、物品を購買者へ供給する供給先の優先順位、供給先の取扱品、供給先が物品を購買者へ供給できるか否かを示すデータを記憶したデータベースと、そのデータベースを参照し、物品を購買者へ供給する供給先を特定する供給先特定部と、特定した供給先へ物品を発注する注文発注部とから形成された受発注管理システムがある（特許文献１参照）。
【０００３】
データベースには、注文品を購買者に供給する供給先の優先順位を示す優先順位データ、供給先の取扱品を示す取扱品データ、供給先が注文品を供給できるか否かを示す供給可否データ、供給先毎に供給可能な購買者または供給不可能な購買者を定義した供給可能先データが格納されている。供給先特定部は、優先順位の高いものから順に供給先を選択する供給先選択部と、選択した供給先が物品を供給できるか否かを判断する供給可否判断部とを有する。この受発注管理システムは、データベースを参照して供給先を特定することにより、物品の供給先として最適なそれを選択することができる。
【特許文献１】特開２００７−２１９９２６号公報
【発明の開示】
【発明が解決しようとする課題】
【０００４】
前記特許文献１に開示の受発注管理システムは、購買者が購入する物品を注文した後、データベースに格納された各データを利用してその物品の供給先を決定するが、購買者の注文時に注文品の一覧が表示されることはない。購買者は、物品を注文する際に、複数のカタログ雑誌を見ながら希望の物品を探さなければならず、手間と時間とを要する。購買者がアミューズメント施設である場合、そこで提供される景品は多岐に亘るとともに、遊技機における景品の品不足を防がなければならないことから、遊技機に景品を常時供給し得る体勢を整えておく必要がある。そのためには、アミューズメント施設において不足した景品を速やかに注文し、その景品を直ちに補充しなければならない。しかし、景品を仕入先に注文する際、その景品が掲載されたカタログ雑誌を見つけ出さなければならないのみならず、景品をカタログ雑誌から探し出さなければならず、その作業に相当の時間を要する。アミューズメント施設では、景品をカタログ雑誌から選択する場合、不足した景品をタイムリーに注文することができない場合があり、景品の品切れを起こす場合がある。
【０００５】
本発明の目的は、カタログ雑誌に掲載された景品を速やかに選択することができ、景品をタイムリーに注文することができる受発注システムを提供することにある。
【課題を解決するための手段】
【０００６】
前記課題を解決するための本発明に係る受発注システムは、複数のアミューズメント施設に設置された第１端末装置と、各種売品をアミューズメント施設に販売する複数の仕入先に設置された第２端末装置と、それら売品に関する情報をインターネットを介して第１および第２端末装置に提供するサーバ装置とから形成され、サーバ装置が、アミューズメント施設の利用者の遊戯に対して提供する各種複数の景品を掲載した各種複数の景品カタログのカタログデータを記憶しつつ、それら景品カタログに掲載された各種複数の景品の景品データをカタログ別に区分して記憶する商品情報第１記憶手段と、第１端末装置がカタログデータを要求したときに、それらカタログデータを第１端末装置に送信するカタログデータ送信手段と、第１端末装置がそれらカタログデータの中から少なくとも一つのそれを選択したときに、選択されたカタログデータに対応する景品データを第１端末装置に送信する景品データ第１送信手段と、第１端末装置がそれら景品データの中から仕入先に発注する景品データを選択したときに、選択された景品データを第２端末装置に送信する景品データ第２送信手段とを有することを特徴とする。
【０００７】
本発明に係る受発注システムの一例として、商品情報第１記憶手段では、景品データを景品カタログの各ページ毎に区分して記憶し、カタログデータ送信手段では、カタログデータとともにそれら景品カタログのページを特定するページデータを第１端末装置に送信し、景品データ第１送信手段では、第１端末装置がそれらカタログデータの中から少なくとも一つのそれを選択しつつページデータの中から少なくとも一つのそれを指定したときに、選択されたカタログデータの指定されたページデータに対応する景品データを第１端末装置に送信する。
【０００８】
本発明に係る受発注システムの他の一例として、商品情報第１記憶手段では、景品データを景品カタログに掲載された景品の景品種別に区分して記憶し、景品データ第１送信手段では、第１端末装置がそれらカタログデータの中から少なくとも一つのそれを選択しつつそれら景品種別の中から少なくとも一つのそれを指定したときに、選択されたカタログデータの指定された景品種別に対応する景品データを第１端末装置に送信する。
【０００９】
本発明に係る受発注システムの他の一例として、商品情報第１記憶手段では、景品データを景品カタログに掲載された景品の製造メーカー別に区分して記憶し、景品データ第１送信手段では、第１端末装置がそれらカタログデータの中から少なくとも一つのそれを選択しつつそれらメーカーの中から少なくとも一つのそれを指定したときに、選択されたカタログデータの指定されたメーカーに対応する景品データを第１端末装置に送信する。
【００１０】
本発明に係る受発注システムの他の一例として、商品情報第１記憶手段では、景品データを景品カタログに掲載されたイメージキャラクター別に区分して記憶し、景品データ第１送信手段では、第１端末装置がそれらカタログデータの中から少なくとも一つのそれを選択しつつそれらキャラクターの中から少なくとも一つのそれを指定したときに、選択されたカタログデータの指定されたキャラクターに対応する景品データを第１端末装置に送信する。
【００１１】
本発明に係る受発注システムの他の一例として、商品情報第１記憶手段では、景品データを景品カタログに掲載された景品のサイズ別に区分して記憶し、景品データ第１送信手段では、第１端末装置がそれらカタログデータの中から少なくとも一つのそれを選択しつつそれらサイズの中から少なくとも一つのそれを指定したときに、選択されたカタログデータの指定されたサイズに対応する景品データを第１端末装置に送信する。
【００１２】
本発明に係る受発注システムの他の一例として、商品情報第１記憶手段では、景品データを景品カタログに掲載された景品の価格帯別に区分して記憶し、景品データ第１送信手段では、第１端末装置がそれらカタログデータの中から少なくとも一つのそれを選択しつつそれら価格帯の中から少なくとも一つのそれを指定したときに、選択されたカタログデータの指定された価格帯に対応する景品データを第１端末装置に送信する。
【００１３】
本発明に係る受発注システムの他の一例として、商品情報第１記憶手段では、景品データを景品カタログに掲載された景品の商品コード別に区分して記憶し、景品データ第１送信手段では、第１端末装置がそれらカタログデータの中から少なくとも一つのそれを選択しつつそれら商品コードの中から少なくとも一つのそれを指定したときに、選択されたカタログデータの指定された商品コードに対応する景品データを第１端末装置に送信する。
【００１４】
本発明に係る受発注システムの他の一例として、商品情報第１記憶手段では、景品データを景品カタログに掲載された景品の景品名別に区分して記憶し、景品データ第１送信手段では、第１端末装置がそれらカタログデータの中から少なくとも一つのそれを選択しつつそれら景品名の中から少なくとも一つのそれを指定したときに、選択されたカタログデータの指定された景品名に対応する景品データを第１端末装置に送信する。
【００１５】
本発明に係る受発注システムの他の一例としては、サーバ装置が、景品を除く残余の商品の商品データを記憶する商品情報第２記憶手段と、第１端末装置が商品データを要求したときに、それら商品データを第１端末装置に送信する商品データ第１送信手段と、第１端末装置がそれら商品データの中から仕入先に発注する商品データを選択したときに、選択された商品データを第２端末装置に送信する商品データ第２送信手段とを有する。
【００１６】
本発明に係る受発注システムの他の一例として、商品情報第２記憶手段では、商品データを商品の商品種別に区分して記憶し、商品データ第１送信手段では、第１端末装置がそれら商品種別の中から少なくとも一つのそれを指定したときに、指定された商品種別に対応する商品データを第１端末装置に送信する。
【００１７】
本発明に係る受発注システムの他の一例として、商品情報第２記憶手段では、商品データを商品の商品コード別に区分して記憶し、商品データ第１送信手段では、第１端末装置がそれら商品コードの中から少なくとも一つのそれを指定したときに、指定された商品コードに対応する商品データを第１端末装置に送信する。
【００１８】
本発明に係る受発注システムの他の一例として、商品情報第２記憶手段では、商品データを商品の商品名別に区分して記憶し、商品データ第１送信手段では、第１端末装置がそれら商品名の中から少なくとも一つのそれを指定したときに、指定された商品名に対応する商品データを第１端末装置に送信する。
【発明の効果】
【００１９】
本発明にかかるに係る受発注システムによれば、サーバ装置が各種複数の景品の景品データをカタログ別に区分して記憶し、各種複数のカタログ雑誌が電子データとしてサーバ装置に一元的に管理され、インターネットを介してカタログデータがサーバ装置から第１端末装置に送信されるから、第１端末装置を介して各種複数のカタログデータの中から必要なそれを迅速に検索することができる。受発注システムは、第１端末装置において各種複数のカタログの中から希望のそれを選択することができ、各アミューズメント施設において各所に散在するカタログ雑誌を見つけ出す必要はなく、カタログ雑誌を見つける手間と時間とを省くことができる。この受発注システムは、カタログの他にそこに掲載された景品が電子データとしてサーバ装置に一元的に管理され、インターネットを介して景品データがサーバ装置から第１端末装置に送信されるから、第１端末装置を介して各種複数の景品データの中から必要なそれを迅速に検索することができる。受発注システムは、第１端末装置においてカタログを選択しつつ発注する景品をそのカタログから選ぶことができ、カタログを手でめくりながら景品を探し出す必要はなく、各アミューズメント施設において発注する景品を速やかに選び出すことができる。また、第１端末装置において選択された発注予定の景品データがサーバ装置から第２端末装置に送信されるから、仕入先において景品の手配や配送準備等の納品作業を速やかに行うことができる。受発注システムは、それを利用することで、不足した景品を仕入先にタイムリーかつ迅速に注文することができ、仕入先からアミューズメント施設に景品が迅速に納品されるから、各アミューズメント施設における景品の品切れを防ぐことができる。
【００２０】
サーバ装置が景品データをカタログの各ページ毎に区分して記憶し、選択されたカタログデータの指令されたページにおける景品データを送信する受発注システムは、カタログ雑誌のページ情報が電子データとしてサーバ装置に一元的に管理され、第１端末装置によってカタログのページを検索することができ、第１端末装置を介してカタログの希望のページに掲載された景品を迅速に検索することができる。この受発注システムは、選択したカタログ雑誌の希望のページを指定することが可能であり、カタログのページを指定しつつそのページから発注する景品を選ぶことができ、ページを手がかりとして発注する景品を各アミューズメント施設において速やかに選び出すことができる。
【００２１】
サーバ装置が景品データを景品の景品種別に区分して記憶し、選択されたカタログデータの指定された景品種別に対応する景品データを送信する受発注システムは、カタログ雑誌に掲載された景品の景品種別情報が電子データとしてサーバ装置に一元的に管理され、第１端末装置によって景品種別を検索することができ、第１端末装置を介してカタログの中から希望の景品種別の景品のみを迅速に検索することができる。この受発注システムは、選択したカタログ雑誌の中から希望の景品種別を指定することが可能であり、景品種別を指定しつつその景品種別に属する景品の中から発注する景品を選ぶことができ、景品種別を手がかりとして発注する景品を各アミューズメント施設において速やかに選び出すことができる。
【００２２】
サーバ装置が景品データを景品の製造メーカー別に区分して記憶し、選択されたカタログデータの指定されたメーカーに対応する景品データを送信する受発注システムは、カタログ雑誌に掲載された景品の製造メーカー情報が電子データとしてサーバ装置に一元的に管理され、第１端末装置によってメーカーを検索することができ、第１端末装置を介してカタログの中から希望のメーカーの景品のみを迅速に検索することができる。この受発注システムは、選択したカタログの中から希望の製造メーカーを指定することが可能であり、メーカーを指定しつつそのメーカーが製造する景品の中から発注する景品を選ぶことができ、メーカーを手がかりとして発注する景品を各アミューズメント施設において速やかに選び出すことができる。
【００２３】
サーバ装置が景品データをイメージキャラクター別に区分して記憶し、選択されたカタログデータの指定されたキャラクターに対応する景品データを送信する受発注システムは、カタログ雑誌に掲載された景品のイメージキャラクター情報が電子データとしてサーバ装置に一元的に管理され、第１端末装置によってキャラクターを検索することができ、第１端末装置を介してカタログの中から希望のキャラクターの景品のみを迅速に検索することができる。この受発注システムは、選択したカタログの中から希望のイメージキャラクターを指定することが可能であり、イメージキャラクターを指定しつつそのキャラクターに関係する景品の中から発注する景品を選ぶことができ、キャラクターを手がかりとして発注する景品を各アミューズメント施設において速やかに選び出すことができる。
【００２４】
サーバ装置が景品データを景品のサイズ別に区分して記憶し、選択されたカタログデータの指定されたサイズに対応する景品データを送信する受発注システムは、カタログ雑誌に掲載された景品のサイズ情報が電子データとしてサーバ装置に一元的に管理され、第１端末装置によって景品のサイズを検索することができ、第１端末装置を介してカタログの中から希望のサイズの景品のみを迅速に検索することができる。この受発注システムは、選択したカタログの中から景品の希望のサイズを指定することが可能であり、サイズを指定しつつそのサイズを有する景品の中から発注する景品を選ぶことができ、サイズを手がかりとして発注する景品を各アミューズメント施設において速やかに選び出すことができる。
【００２５】
サーバ装置が景品データを景品の価格帯別に区分して記憶し、選択されたカタログデータの指定された価格帯に対応する景品データを送信する受発注システムは、カタログ雑誌に掲載された景品の価格帯情報が電子データとしてサーバ装置に一元的に管理され、第１端末装置によって景品の価格帯を検索することができ、第１端末装置を介してカタログの中から希望の価格帯の景品のみを迅速に検索することができる。この受発注システムは、選択したカタログの中から景品の希望の価格帯を指定することが可能であり、価格帯を指定しつつその価格帯の景品の中から発注する景品を選ぶことができ、価格帯を手がかりとして発注する景品を各アミューズメント施設において速やかに選び出すことができる。
【００２６】
サーバ装置が景品データを景品の商品コード別に区分して記憶し、選択されたカタログデータの指定された商品コードに対応する景品データを送信する受発注システムは、カタログ雑誌に掲載された景品の商品コード情報が電子データとしてサーバ装置に一元的に管理され、第１端末装置によって商品コードを検索することができ、第１端末装置を介してカタログの中から希望の商品コードの景品のみを迅速に検索することができる。この受発注システムは、選択したカタログの中から希望の商品コードを指定することが可能であり、商品コードを指定しつつその商品コードの景品の中から発注する景品を選ぶことができ、商品コードを手がかりとして発注する景品を各アミューズメント施設において速やかに選び出すことができる。
【００２７】
サーバ装置が景品データを景品の景品名別に区分して記憶し、選択されたカタログデータの指定された景品名に対応する景品データを送信する受発注システムは、カタログ雑誌に掲載された景品の景品名情報が電子データとしてサーバ装置に一元的に管理され、１端末装置によって景品名を検索することができ、第１端末装置を介してカタログの中から希望の景品名の景品のみを迅速に検索することができる。この受発注システムは、選択したカタログの中から希望の景品名を指定することが可能であり、景品名を指定しつつその景品名の景品の中から発注する景品を選ぶことができ、景品名を手がかりとして発注する景品を各アミューズメント施設において速やかに選び出すことができる。
【００２８】
サーバ装置が景品を除く残余の商品の商品データを記憶し、それら商品データを送信する受発注システムは、景品を除く各種複数の商品が電子データとしてサーバ装置に一元的に管理され、インターネットを介して商品データがサーバ装置から第１端末装置に送信されるから、第１端末装置を介して各種複数の商品データの中から必要なそれを迅速に検索することができ、各アミューズメント施設において発注する商品を速やかに選び出すことができる。この受発注システムは、それを利用することで、不足した商品を仕入先にタイムリーかつ迅速に注文することができ、各アミューズメント施設における商品の品切れを防ぐことができる。
【００２９】
サーバ装置が商品データを商品の商品種別に区分して記憶し、指定された商品種別に対応する商品データを送信する受発注システムは、商品の商品種別情報が電子データとしてサーバ装置に一元的に管理され、第１端末装置によって商品種別を検索することができ、第１端末装置を介して希望の商品種別の商品のみを迅速に検索することができる。この受発注システムは、希望の商品種別を指定することが可能であり、商品種別を指定しつつその商品種別に属する商品の中から発注する商品を選ぶことができ、商品種別を手がかりとして発注する商品を各アミューズメント施設において速やかに選び出すことができる。
【００３０】
サーバ装置が商品データを商品の商品コード別に区分して記憶し、指定された商品コードに対応する商品データを送信する受発注システムは、商品の商品コード情報が電子データとしてサーバ装置に一元的に管理され、第１端末装置によって商品コードを検索することができ、第１端末装置を介して希望の商品コードの商品のみを迅速に検索することができる。この受発注システムは、希望の商品コードを指定することが可能であり、商品コードを指定しつつその商品コードの商品の中から発注する商品を選ぶことができ、商品コードを手がかりとして発注する商品を各アミューズメント施設において速やかに選び出すことができる。
【００３１】
サーバ装置が商品データを商品の商品名別に区分して記憶し、指定された商品名に対応する商品データを送信する受発注システムは、商品の商品名情報が電子データとしてサーバ装置に一元的に管理され、第１端末装置によって商品名を検索することができ、第１端末装置を介して希望の商品名の商品のみを迅速に検索することができる。この受発注システムは、希望の商品名を指定することが可能であり、商品名を指定しつつその商品名の商品の中から発注する商品を選ぶことができ、商品名を手がかりとして発注する商品を各アミューズメント施設において速やかに選び出すことができる。
【発明を実施するための最良の形態】
【００３２】
添付の図面を参照し、本発明に係る受発注システムの詳細を説明すると、以下のとおりである。図１は、一例として示す受発注システム１０の構成図である。この受発注システム１０は、複数のアミューズメント施設１１，１２に設置された施設端末装置１３，１４（第１端末装置）と、各種売品をアミューズメント施設１１，１２に販売する複数の仕入先１５，１６に設置された仕入先端末装置１７，１８（第２端末装置）と、それら売品に関する情報をアミューズメント施設１１，１２（施設端末装置１３，１４）および仕入先１５，１６（仕入先端末装置１７，１８）に提供（送信）する受発注管理サーバ１９（サーバ装置）とから形成されている。
【００３３】
売品には、アミューズメント施設１１，１２の利用者の遊戯に対して提供される景品と、景品を除く残余の商品とが含まれる。残余の商品には、アミューズメント施設１１，１２において使用される消耗品や部品、備品等のあらゆる商品が含まれる。なお、図１では、アミューズメント施設１１，１２および仕入先１５，１６を２つ図示しているが、実際には３つ以上のアミューズメント施設および仕入先が存在する。また、アミューズメント施設１１，１２や仕入先１５，１６において１つの端末装置１３，１４，１７，１８を図示しているが、実際には２つ以上の端末装置がアミューズメント施設１１，１２や仕入先１５，１６に設置されている。
【００３４】
受発注管理サーバ１９は、このシステム１０を提供する事業者が保有管理している。サーバ１９は、中央処理部（ＣＰＵまたはＭＰＵ）とメモリとを備えたコンピュータであり、ＤＮＳ機能、データベース機能、Ｗｅｂ機能を有する。サーバ１９は、インターネット２０に接続可能であり、インターネット２０を利用することで、施設端末装置１３，１４および仕入先端末装置１７，１８のみならず、不特定多数のサーバにアクセスかつログインすることができる。サーバ１９には、図示はしていないが、大容量ハードディスクが内蔵され、キーボードやマウス等の入力装置、ディスプレイやプリンタ等の出力装置がインターフェイスを介して接続されている。
【００３５】
サーバ１９のメモリには、受発注管理アプリケーション、ＤＮＳ（Domain  Name  System）アプリケーション、ＤＢＭＳ（Database  Management  System）アプリケーション等が格納されている。サーバ１９のハードディスクには、景品関係データファイル、商品関係データファイルが作られている。それらデータファイルは、仕入先１５，１６別かつ仕入先１５，１６の支店別に区分されている。サーバ１９は、ＩＰアドレスとドメイン名との対応づけを行うとともに、記憶したカタログデータや景品データ、商品データをＨＴＭＬに変換した後、それらデータを施設端末装置１３，１４および仕入先端末装置１７，１８に送信し、それらデータをそれら端末装置１３，１４，１７，１８において閲覧可能とする。
【００３６】
サーバ１９の中央処理部は、オペレーティングシステムによる制御に基づいて、メモリに格納された受発注管理アプリケーションを起動し、起動したアプリケーションに従って、以下の各手段を実行する。サーバ１９の中央処理部は、各種複数の景品を掲載した各種複数の景品カタログのカタログデータを記憶しつつ、それら景品カタログに掲載された各種複数の景品の景品データをカタログデータ別に区分して記憶する商品情報第１記憶手段を実行し、施設端末装置１３，１４がカタログデータを要求したときに、それらカタログデータを施設端末装置１３，１４に送信するカタログデータ送信手段を実行する。
【００３７】
サーバ１９の中央処理部は、施設端末装置１３，１４がそれらカタログデータの中から少なくとも一つのそれを選択したときに、選択されたカタログデータに対応する景品データを施設端末装置１３，１４に送信する景品データ第１送信手段を実行する。中央処理部は、施設端末装置１３，１４がそれら景品データの中から仕入先１５，１６に発注する景品データを選択したときに、端末装置１３，１４によって選択された発注予定の景品の発注伝票を作成する発注伝票作成手段を実行し、選択された景品データ（作成した発注伝票）を施設端末装置１３，１４と仕入先端末装置１７，１８とに送信する景品データ第２送信手段を実行する。
【００３８】
サーバ１９の中央処理部は、商品の商品データを記憶する商品情報第２記憶手段を実行し、施設端末装置１３，１４が商品データを要求したときに、それら商品データを施設端末装置１３，１４に送信する商品データ第１送信手段を実行する。中央処理部は、施設端末装置１３，１４がそれら商品データの中から仕入先１５，１６に発注する商品データを選択したときに、端末装置１３，１４によって選択された発注予定の商品の発注伝票を作成する発注伝票作成手段を実行し、選択された商品データ（作成した発注伝票）を施設端末装置１３，１４と仕入先端末装置１７，１８とに送信する商品データ第２送信手段を実行する。
【００３９】
施設端末装置１３，１４は、アミューズメント施設１１，１２が保有管理している。仕入先端末装置１７，１８は、メーカーや卸売業者、小売業者等の売品の仕入先１５，１６が保有管理している。施設端末装置１３，１４および仕入先端末装置１７，１８は、中央処理部（ＣＰＵまたはＭＰＵ）とメモリとを備えたコンピュータであり、ＤＮＳサーバ機能、データベースサーバ機能、Ｗｅｂサーバ機能を有する。それら端末装置１３，１４，１７，１８には、大容量ハードディスクが内蔵され、キーボードやマウス等の入力装置、ディスプレイ２１，２２やプリンタ（図示せず）等の出力装置がインターフェイスを介して接続されている。それら端末装置１３，１４，１７，１８は、インターネット２０に接続可能であり、インターネット２０を利用することで、サーバ１９にアクセスかつログインすることができる。このシステム１０では、受発注管理サーバ１９や施設端末装置１３，１４、仕入先端末装置１７，１８がインターネット２０を介してネットワークを形成している。
【００４０】
図２〜図５は、カタログ検索の一例を説明する図である。図２〜図５は、施設端末装置１３，１４のディスプレイ２１に表示された発注書入力画面の一例を示す。それら図に基づいて、カタログ検索の一例を説明すると、以下のとおりである。なお、受発注管理サーバ１９のハードディスクには、以下の各データが入力されている。サーバ１９に入力されるデータには、カタログデータ、景品データ、商品データ、ページデータ、景品種別データ、景品のメーカーデータ、キャラクターデータ、サイズデータ、価格帯データ、景品の商品コードデータ、景品名データ、商品種別データ、商品のメーカーデータ、商品の商品コードデータ、商品名データがある。
【００４１】
カタログデータには、仕入先識別番号、仕入先の支店識別番号、各種カタログを識別するためのカタログ識別番号、カタログ名、カタログの発行年月日がある。カタログデータには、カタログのページを識別するためのページデータ（ページ識別番号）が関連付けられているとともに、カタログに掲載された景品の景品データ（景品識別番号）が関連付けられている。景品データには、仕入先１５，１６の識別番号、仕入先１５，１６の支店識別番号、各種景品を識別するための景品識別番号、景品単価がある。景品データには、景品の景品種別を識別するための景品種別データ（景品種別識別番号）や景品の製造メーカーを識別するためのメーカーデータ（メーカー識別番号）が関連付けられ、景品のイメージキャラクターを識別するためのキャラクターデータ（キャラクター識別番号）や景品のサイズを識別するためのサイズデータ（サイズ識別番号）が関連付けられている。また、景品の価格帯を識別するための価格帯データ（価格帯識別番号）や景品の商品コードを識別するための商品コードデータ（商品コード識別番号）が関連付けられ、景品の景品名を識別するための景品名データ（景品名識別番号）が関連付けられている。
【００４２】
サーバ１９は、仕入先１５，１６の識別番号や仕入先１５，１６の支店識別番号を参照しつつ、カタログデータを仕入先１５，１６別かつ支店別に区分した状態でハードディスクの景品関係データファイルに格納する（商品情報第１記憶手段）。サーバ１９は、カタログデータとそのカタログデータに対応するカタログのページデータとを参照しつつ、景品データを各カタログ別かつ各ページ別に区分し得るように、カタログ識別番号とページ識別番号とを景品データに設定する。サーバ１９は、仕入先１５，１６の識別番号や仕入先１５，１６の支店識別番号を参照しつつ、カタログデータに関連するそれら景品データを仕入先１５，１６別かつ支店別に区分した状態でハードディスクの景品関係データファイルに格納する（商品情報第１記憶手段）。
【００４３】
サーバ１９は、景品種別データを参照しつつ、景品データを各景品種別に区分し得るように、景品種別識別番号を景品データに設定し、メーカーデータを参照しつつ、景品データを各製造メーカー別に区分し得るように、メーカー識別番号を景品データに設定する。サーバ１９は、キャラクターデータを参照しつつ、景品データを各イメージキャラクター別に区分し得るように、キャラクター識別番号を景品データに設定し、サイズデータを参照しつつ、景品データを各サイズ別に区分し得るように、サイズ識別番号を景品データに設定する。また、価格帯データを参照しつつ、景品データを各価格帯別に区分し得るように、価格帯識別番号を景品データに設定し、商品コードデータを参照しつつ、景品データを各商品コード別に区分し得るように、商品コード識別番号を景品データに設定する。さらに、景品名データを参照しつつ、景品データを各景品名別に区分し得るように、景品名識別番号を景品データに設定する。サーバ１９は、それら識別番号を景品データに設定した後、仕入先１５，１６の識別番号や仕入先１５．１６の支店識別番号を参照しつつ、それら景品データを仕入先１５，１６別かつ支店別に区分した状態でハードディスクの景品関係データファイルに格納する（商品情報第１記憶手段）。
【００４４】
ページデータは、カタログデータを各ページ毎に区分する。ページデータを指定することで、カタログデータのページを特定しつつそのページに掲載された景品データを抽出することができる。景品種別データは、それら景品データを景品種別に区分する。景品種別データを指定することで、景品種別毎に分類された状態の景品データを抽出することができ、景品種別を特定しつつその景品種別に対応する景品データを特定することができる。メーカーデータは、それら景品データを景品の製造メーカー別に区分する。メーカーデータを指定することで、製造メーカー毎に分類された状態の景品データを抽出することができ、メーカーを特定しつつそのメーカーに対応する景品データを特定することができる。
【００４５】
キャラクターデータは、それら景品データをイメージキャラクター別に区分する。キャラクターデータを指定することで、キャラクター毎に分類された状態の景品データを抽出することができ、キャラクターを特定しつつそのキャラクターに対応する景品データを特定することができる。サイズデータは、それら景品データをサイズ別に区分する。サイズデータを指定することで、サイズ毎に分類された状態の景品データを抽出することができ、サイズを特定しつつそのサイズに対応する景品データを特定することができる。
【００４６】
価格帯データは、それら景品データを価格帯別に区分する。価格帯データを指定することで、価格帯毎に分類された状態の景品データを抽出することができ、価格帯を特定しつつその価格帯に対応する景品データを特定することができる。商品コードデータは、それら景品データを商品コード別に区分する。商品コードデータを指定することで、商品コード毎に分類された状態の景品データを抽出することができ、商品コードを特定しつつその商品コードに対応する景品データを特定することができる。景品名データは、それら景品データを景品名別に区分する。景品名データを指定することで、景品名毎に分類された状態の景品データを抽出することができ、景品名を特定しつつその景品名に対応する景品データを特定することができる。
【００４７】
商品データには、仕入先１５，１６の識別番号、仕入先１５，１６の支店識別番号、各種商品を識別するための商品識別番号、商品単価がある。商品データには、商品の商品種別を識別するための商品種別データ（商品種別識別番号）が関連付けられ、商品の製造メーカーを識別するためのメーカーデータ（メーカー識別番号）が関連付けられている。さらに、商品の商品コードを識別するための商品コードデータ（商品コード識別番号）が関連付けられ、商品の商品名を識別するための商品名データ（商品名識別番号）が関連付けられている。
【００４８】
サーバ１９は、商品種別データを参照しつつ、商品データを各商品種別に区分し得るように、商品種別識別番号を商品データに設定し、商品コードデータを参照しつつ、商品データを各商品コード別に区分し得るように、商品コード識別番号を商品データに設定する。サーバ１９は、商品名データを参照しつつ、商品データを各商品名別に区分し得るように、商品名識別番号を商品データに設定する。サーバ１９は、それら識別番号を商品データに設定した後、仕入先１５，１６の識別番号や仕入先１１５，１６の支店識別番号を参照しつつ、それら商品データを仕入先１５，１６別かつ支店別に区分した状態でハードディスクの商品関係データファイルに格納する（商品情報第２記憶手段）。
【００４９】
商品種別データは、それら商品データを商品種別に区分する。商品種別データを指定することで、商品種別毎に分類された状態の商品データを抽出することができ、商品種別を特定しつつその商品種別に対応する商品データを特定することができる。商品コードデータは、それら商品データを商品コード別に区分する。商品コードデータを指定することで、商品コード毎に分類された状態の商品データを抽出することができ、商品コードを特定しつつその商品コードに対応する商品データを特定することができる。商品名データは、それら商品データを商品名別に区分する。商品名データを指定することで、商品名毎に分類された状態の商品データを抽出することができ、商品名を特定しつつその商品名に対応する商品データを特定することができる。
【００５０】
施設端末装置１３，１４や仕入先端末装置１７，１８を起動させた後、それら端末装置１３，１４，１７，１８をインターネット２０に接続し、インターネット２０を介してそれら端末装置１３，１４，１７，１８を受発注管理サーバ１９にログインさせる。サーバ１９は、それら端末装置１３，１４，１７，１８のログイン時に所定の認証手続を要求する。認証では、それら端末装置１３，１４，１７，１８に受発注管理アプリケーションを利用させる正当性があるかを判断する。認証方式は、パスワード認証であるが、パスワード認証の他に、指紋認証や声紋認証、網膜認証、ＩＣカード認証を行うこともできる。なお、パスワード認証としては、ワンタイムパスワードを採用することもできる。
【００５１】
施設端末装置１３，１４や仕入先端末装置１７，１８をインターネットに接続した後、受発注管理サーバ１９のＵＲＬを利用してサーバ１９にアクセスする。サーバ１９は、それら端末装置１３，１４，１７，１８のディスプレイ２１，２２に認証画面（図示せず）を表示させる。認証画面には、ユーザ名の入力エリアとパスワードの入力エリアとが表示される。アミューズメント施設１１，１２や仕入先１５，１６は、それら入力エリアにユーザ名とパスワードとを入力した後、ログインボタンを押す。サーバ１９は、入力されたユーザ名およびパスワードをメモリに格納されたそれらと比較し、ユーザ名およびパスワードの正誤を判断する。ユーザ名およびパスワードが正しく認証結果が可である場合、サーバ１９は、施設端末装置１３，１４や仕入先端末装置１７，１８のサーバ１９へのログインを許可する。ユーザ名やパスワードが誤っていて認証結果が不可である場合、サーバ１９は、それら端末装置１３，１４，１７，１８のディスプレイ２１，２２にユーザ名やパスワードの誤りメッセージを表示するとともに、ログイン不可メッセージを表示する。
【００５２】
施設端末装置１３，１４がサーバ１９へログインすると、サーバ１９は、端末装置１３，１４のディスプレイ２１に初期画面（図示せず）を表示させる。初期画面には、受注管理ボタン、納入管理ボタン、在庫管理ボタン、棚卸管理ボタン、ログアウトボタンが表示される。初期画面から発注管理を選択すると、図２に示すように、ディスプレイに発注書入力画面が表示される。発注書入力画面には、受注管理ボタン、納入管理ボタン、在庫管理ボタン、棚卸管理ボタン、ログアウトボタン、その端末装置１３，１４が設置されたアミューズメント施設１１，１２の店名、そのアミューズメント施設１１，１２の担当者名が表示され、発注先（仕入先１５，１６）プルダウンリスト、発注先支店プルダウンリスト、発注日表示エリア、納入予定日表示エリア、発注景品発注商品表示エリア（Ａ１）、カタログ検索ボタン（Ｂ１）、商品検索ボタン（Ｂ２）、景品検索ボタン（Ｂ３）、最近発注ボタン（Ｂ４）、検索条件入力エリア（Ａ２）、検索一覧表示エリア（Ａ３）が表示される。発注景品発注商品表示エリア（Ａ１）には、商品コード表示エリア、品名表示エリア、数量表示エリア、単価表示エリア、金額表示エリア、納入予定日表示エリアが表示される。検索条件入力エリア（Ａ２）には、検索ボタン（Ｂ５）が表示される。検索一覧表示エリア（Ａ３）には、商品コード表示エリア、品名表示エリア、単価表示エリアが表示される。
【００５３】
発注先のプルダウンリストから発注先を選択し（全発注先選択可）、発注先支店のプルダウンリストから発注先支店を選択する（全支店選択可）。それらを選択すると、サーバ１９は、選択された発注先の選択された支店における景品関係データファイルや商品関係データファイルをハードディスクから取り出す。カタログを検索するには、カタログ検索ボタン（Ｂ１）を押す。カタログ検索ボタン（Ｂ１）を押すと、図３に示すように、検索条件入力エリア（Ａ２）に各種の条件選択ボタンが表示される。条件選択ボタンには、カタログ選択ボタン（Ｂ６）、ページ選択ボタン（Ｂ７）、景品種別選択ボタン（Ｂ８）、メーカー選択ボタン（Ｂ９）、キャラクター選択ボタン（Ｂ１０）、サイズ選択ボタン（Ｂ１１）、価格帯選択ボタン（Ｂ１２）、商品コード選択ボタン（Ｂ１３）、景品名選択ボタン（Ｂ１４）がある。入力装置によってカタログ選択ボタン（Ｂ６）を押す。カタログ選択ボタン（Ｂ６）を押すと、図４に示すように、発注書入力画面にカタログ選択プルダウンリスト（Ｌ１）が表示され、プルダウンリスト（Ｌ１）から希望のカタログを選択する（全カタログ選択可）。
【００５４】
カタログを選択した後、ページ選択ボタン（Ｂ７）を押す。ページ選択ボタン（Ｂ７）を押すと、図５に示すように、発注書入力画面にページ入力エリア（Ａ４）が表示される。ページ入力エリア（Ａ４）に希望のページを入力する。具体的には、ページ数（１）を入力するとカタログの１ページを指定したことになり、ページ数（１）〜（５）を入力すると、カタログの１ページから５ページまでを指定したことになる。また、ページ入力エリア（Ａ４）をブランクにすると、カタログの全ページを指定したことになる。図５では、ページ入力エリア（Ａ４）に（１）が入力されたものとする。ページを入力した後、検索ボタン（Ｂ５）を押すと、サーバ１９は、選択された仕入先１５，１６の支店における選択されたカタログのカタログデータをハードディスクの景品関係データファイルから抽出しつつ、抽出したカタログデータの指定されたページにおける景品データを景品関係データファイルから抽出し、抽出したそれら景品データを施設端末装置１３，１４に送信する（景品データ第１送信手段）。施設端末装置１３，１４のディスプレイ２１には、サーバ１９から送信された景品データが表示される。検索一覧表示エリア（Ａ３）の商品コード表示エリアには景品の商品コードが表示され、品名表示エリアには景品名が表示され、単価表示エリアには景品の単価が表示される（図５参照）。
【００５５】
図６，図７は、仕入先１５，１６への発注を説明する図である。図８は、施設端末装置１３，１４や仕入先端末装置１７，１８のディスプレイ２１，２２に表示された発注伝票の一例を示す図である。それら図に基づいて、仕入先１５，１６への発注の一例を説明すると、以下のとおりである。検索一覧表示エリア（Ａ３）に表示された景品データのうち、発注予定の景品データ上にカーソルを移動させ、そのデータを反転させると、そのデータが発注景品発注商品表示エリア（Ａ１）に表示される。図６では、発注景品発注商品表示エリア（Ａ１）の商品コード表示エリアに景品の商品コードが表示され、品名表示エリアに景品の品名が表示されている。さらに、単価表示エリアに単価が表示されている。図６の発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する。図７では、数量表示エリア（Ａ６）に発注数量が表示され、金額表示エリア（Ａ７）に金額が表示され、納入予定日表示エリアに納入予定日が表示されている。
【００５６】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データを受発注管理サーバ１９に送信する。サーバ１９は、施設端末装置１３，１４から発注予定の景品データを受信すると、それら景品データに基づいて発注予定の景品の発注伝票を作成する（発注伝票作成手段）。サーバ１９は、作成した発注伝票をインターネット２０を介して施設端末装置１３，１４と仕入先端末装置１７，１８とにメール送信する（景品データ第２送信手段）。サーバ１９から送信された発注伝票は、図８に示すように、施設端末装置１３，１４と仕入先端末装置１７，１８のディスプレイ２１，２２に表示される。図８の発注伝票は、プリンタから出力することができる。仕入先１５，１６は、発注伝票を受信することで、景品の注文を受け付ける。
【００５７】
この受発注システム１０は、受発注管理サーバ１９が各種複数の景品の景品データをカタログ別に区分して記憶し、各種複数のカタログ雑誌が電子データとしてサーバに一元的に管理され、インターネット２０を介してカタログデータがサーバ１９から施設端末装置１３，１４に送信されるから、端末装置１３，１４を介して各種複数のカタログデータの中から必要なそれを迅速に検索することができる。受発注システム１０は、施設端末装置１３，１４において各種複数のカタログの中から希望のそれを選択することができ、各アミューズメント施設１１，１２において各所に散在するカタログ雑誌を見つけ出す必要はなく、カタログ雑誌を見つける手間と時間とを省くことができる。
【００５８】
この受発注システム１０は、カタログの他にそこに掲載された景品が電子データとしてサーバ１９に一元的に管理され、インターネット２０を介して景品データがサーバ１９から施設端末装置１３，１４に送信されるから、端末装置１３，１４を介して各種複数の景品データの中から必要なそれを迅速に検索することができる。受発注システム１０は、端末装置１３，１４においてカタログを選択しつつ発注する景品をそのカタログから選ぶことができ、カタログを手でめくりながら景品を探し出す必要はなく、各アミューズメント施設１１，１２において発注する景品を速やかに選び出すことができる。また、施設端末装置１３，１４において選択された発注予定の景品データがサーバ１９から仕入先端末装置１７，１８に送信されるから、仕入先１５，１６において景品の手配や配送準備等の納品作業を速やかに行うことができる。
【００５９】
この受発注システム１０は、サーバ１９が景品データをカタログの各ページ毎に区分して記憶し、カタログ雑誌のページ情報が電子データとしてサーバ１９に一元的に管理され、インターネット２０を介してページデータが施設端末装置１３，１４に送信されるから、端末装置１３，１４を介してカタログの中から必要なページのみを迅速に検索することができる。受発注システム１０は、選択したカタログ雑誌の希望のページを指定することが可能であり、カタログのページを指定しつつそのページから発注する景品を選ぶことができ、ページを手がかりとして発注する景品を各アミューズメント施設１１，１２において速やかに選び出すことができる。
【００６０】
図９，図１０は、カタログ検索のうちの景品種別指定の一例を説明する図である。景品種別指定では、カタログ検索およびページ指定を行った後、景品種別を指定し、景品種別に対応する景品から発注する景品が選択される。ページは１〜５ページが指定されている。それら図に基づいて、景品種別指定の一例を説明すると、以下のとおりである。なお、認証手続きやカタログ検索、ページ指定の手順は図２〜図５において説明したそれらと同一であるから、図２〜図５を援用し、それらの説明は省略する。また、景品種別以外の指定は行わないものとする。
【００６１】
カタログを選択し、ページを指定した後、必要があれば、景品種別を指定する。景品種別ボタン（Ｂ８）を押すと、景品種別のプルダウンリスト（Ｌ２）が表示される。プルダウンリスト（Ｌ２）から希望の景品種別を選び（複数選択可）、景品種別を指定する。景品種別をブランクにすると、全景品種別指定となる。景品種別を指定した後、検索ボタン（Ｂ５）を押すと、サーバ１９は、選択された仕入先１５，１６の支店におけるカタログデータをハードディスクの景品関係データファイルから抽出しつつ、抽出したカタログデータの指定されたページかつ指定された景品種別における景品データを景品関係データファイルから抽出し、抽出したそれら景品データを施設端末装置１３，１４に送信する（景品データ第１送信手段）。施設端末装置１３，１４のディスプレイ２１には、サーバ１９から送信された景品データが表示される。検索一覧表示エリア（Ａ３）の商品コード表示エリアには景品の商品コードが表示され、品名表示エリアには景品名が表示され、単価表示エリアには景品の単価が表示される（図１０参照）。
【００６２】
施設端末装置１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【００６３】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データを受発注管理サーバ１９に送信する。サーバ１９は、施設端末装置１３，１４から発注予定の景品データを受信すると、それら景品データに基づいて発注予定の景品の発注伝票を作成する（発注伝票作成手段）。サーバ１９は、作成した発注伝票をインターネット２０を介して施設端末装置１３，１４と仕入先端末装置１７，１８とにメール送信する（景品データ第２送信手段）。サーバ１９から送信された発注伝票は、施設端末装置１３，１４と仕入先端末装置１７，１８のディスプレイ２１，２２に表示される他（図８参照）、プリンタから出力することができる。
【００６４】
景品種別に対応した景品データを検索可能な受発注システム１０は、サーバ１９が景品データを景品の景品種別に区分して記憶し、カタログ雑誌に掲載された景品の景品種別情報が電子データとしてサーバ１９に一元的に管理され、インターネット２０を介して景品種別データがサーバ１９から施設端末装置１３，１４に送信されるから、端末装置１３，１４を介してカタログの中から必要な景品種別のみを迅速に検索することができる。この受発注システム１０は、選択したカタログ雑誌の中から希望の景品種別を指定することが可能であり、景品種別を指定しつつその景品種別に属する景品の中から発注する景品を選ぶことができ、景品種別を手がかりとして発注する景品を各アミューズメント施設１１，１２において速やかに選び出すことができる。
【００６５】
図１１，図１２は、カタログ検索のうちのメーカー指定の一例を説明する図である。メーカー指定では、カタログ検索およびページ指定を行った後、製造メーカーを指定し、メーカーに対応する景品から発注する景品が選択される。ページは１〜５ページが指定されている。それら図に基づいて、メーカー指定の一例を説明すると、以下のとおりである。なお、認証手続きやカタログ検索、ページ指定の手順は図２〜図５において説明したそれらと同一である。また、メーカー以外の指定は行わないものとする。
【００６６】
カタログを選択し、ページを指定した後、必要があれば、景品の製造メーカーを指定する。メーカーボタン（Ｂ９）を押すと、メーカー入力エリアおよびメーカーのプルダウンリスト（Ｌ３）が表示される。メーカー入力エリアにメーカーを入力し（複数入力可）またはプルダウンリスト（Ｌ３）から希望のメーカーを選び（複数選択可）、メーカーを指定する。メーカーをブランクにすると、全メーカー指定となる。メーカーを指定した後、検索ボタン（Ｂ５）を押すと、サーバ１９は、選択された仕入先１５，１６の支店におけるカタログデータをハードディスクの景品関係データファイルから抽出しつつ、抽出したカタログデータの指定されたページかつ指定されたメーカーにおける景品データを景品関係データファイルから抽出し、抽出したそれら景品データを施設端末装置１３，１４に送信する（景品データ第１送信手段）。施設端末装置１３，１４のディスプレイ２１には、サーバ１９から送信された景品データが表示される。検索一覧表示エリア（Ａ３）の商品コード表示エリアには景品の商品コードが表示され、品名表示エリアには景品名が表示され、単価表示エリアには景品の単価が表示される（図１２参照）。
【００６７】
施設端末装置１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【００６８】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データを受発注管理サーバ１９に送信する。サーバ１９は、施設端末装置１３，１４から発注予定の景品データを受信すると、それら景品データに基づいて発注予定の景品の発注伝票を作成する（発注伝票作成手段）。サーバ１９は、作成した発注伝票をインターネット２０を介して施設端末装置１３，１４と仕入先端末装置１７，１８とに送信する（景品データ第２送信手段）。サーバ１９から送信された発注伝票は、施設端末装置１３，１４や仕入先端末装置１７，１８のディスプレイ２１，２２に表示される他（図８参照）、プリンタから出力することができる。
【００６９】
製造メーカーに対応した景品データを検索可能な受発注システム１０は、サーバ１９が景品データを景品の製造メーカー別に区分して記憶し、カタログ雑誌に掲載された景品の製造メーカー情報が電子データとしてサーバ１９に一元的に管理され、インターネット２０を介してメーカーデータがサーバ１９から施設端末装置１３，１４に送信されるから、端末装置１３，１４を介してカタログの中から所定のメーカーのみを迅速に検索することができる。この受発注システム１０は、選択したカタログの中から希望の製造メーカーを指定することが可能であり、メーカーを指定しつつそのメーカーが製造する景品の中から発注する景品を選ぶことができ、メーカーを手がかりとして発注する景品を各アミューズメント施設１１，１２において速やかに選び出すことができる。
【００７０】
図１３，図１４は、カタログ検索のうちのキャラクター指定の一例を説明する図である。キャラクター指定では、カタログ検索およびページ指定を行った後、キャラクターを指定し、キャラクターに対応する景品から発注する景品が選択される。ページは１〜５ページが指定されている。それら図に基づいて、キャラクター指定の一例を説明すると、以下のとおりである。なお、認証手続きやカタログ検索、ページ指定の手順は図２〜図５において説明したそれらと同一である。また、キャラクター以外の指定は行わないものとする。
【００７１】
カタログを選択し、ページを指定した後、必要があれば、景品のキャラクターを指定する。キャラクターボタン（Ｂ１０）を押すと、キャラクター入力エリアおよびキャラクターのプルダウンリスト（Ｌ４）が表示される。キャラクター入力エリアにキャラクターを入力し（複数入力可）またはプルダウンリスト（Ｌ４）から希望のキャラクターを選び（複数選択可）、キャラクターを指定する。キャラクターをブランクにすると、全キャラクター指定となる。キャラクターを指定した後、検索ボタン（Ｂ５）を押すと、サーバ１９は、選択された仕入先１５，１６の支店におけるカタログデータをハードディスクの景品関係データファイルから抽出しつつ、抽出したカタログデータの指定されたページかつ指定されたキャラクターにおける景品データを景品関係データファイルから抽出し、抽出したそれら景品データを施設端末装置１３，１４に送信する（景品データ第１送信手段）。施設端末装置１３，１４のディスプレイ２１には、サーバ１９から送信された景品データが表示される。検索一覧表示エリア（Ａ３）の商品コード表示エリアには景品の商品コードが表示され、品名表示エリアには景品名が表示され、単価表示エリアには景品の単価が表示される（図１４参照）。
【００７２】
施設端末装置１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【００７３】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データを受発注管理サーバ１９に送信する。サーバ１９は、施設端末装置１３，１４から発注予定の景品データを受信すると、それら景品データに基づいて発注予定の景品の発注伝票を作成する（発注伝票作成手段）。サーバ１９は、作成した発注伝票をインターネット２０を介して施設端末装置１３，１４と仕入先端末装置１７，１８とにメール送信する（景品データ第２送信手段）。サーバ１９から送信された発注伝票は、施設端末装置１３，１４や仕入先端末装置１７，１８のディスプレイ２１，２２に表示される他（図８参照）、プリンタから出力することができる。
【００７４】
キャラクターに対応した景品データを検索可能な受発注システム１０は、サーバ１９が景品データをイメージキャラクター別に区分して記憶し、カタログ雑誌に掲載された景品のイメージキャラクター情報が電子データとしてサーバ１９に一元的に管理され、インターネット２０を介してキャラクターデータがサーバ１９から施設端末装置１３，１４に送信されるから、端末装置１３，１４を介してカタログの中から所定のイメージキャラクターのみを迅速に検索することができる。この受発注システム１０は、選択したカタログの中から希望のイメージキャラクターを指定することが可能であり、イメージキャラクターを指定しつつそのキャラクターに関係する景品の中から発注する景品を選ぶことができ、キャラクターを手がかりとして発注する景品を各アミューズメント施設１１，１２において速やかに選び出すことができる。
【００７５】
図１５，図１６は、カタログ検索のうちのサイズ指定の一例を説明する図である。サイズ指定では、カタログ検索およびページ指定を行った後、サイズを指定し、サイズに対応する景品から発注する景品が選択される。ページは１〜５ページが指定されている。それら図に基づいて、サイズ指定の一例を説明すると、以下のとおりである。なお、認証手続きやカタログ検索、ページ指定の手順は図２〜図５において説明したそれらと同一である。また、サイズ以外の指定は行わないものとする。
【００７６】
カタログを選択し、ページを指定した後、必要があれば、景品のサイズ（特大、大、中、小）を指定する。サイズボタン（Ｂ１１）を押すと、サイズのプルダウンリスト（Ｌ５）が表示され、プルダウンリスト（Ｌ５）から希望のサイズを指定する（複数指定可）。サイズをブランクにすると、全サイズ指定となる。サイズを指定した後、検索ボタン（Ｂ５）を押すと、サーバ１９は、選択された仕入先１５，１６の支店におけるカタログデータをハードディスクの景品関係データファイルから抽出しつつ、抽出したカタログデータの指定されたページかつ指定されたサイズにおける景品データを景品関係データファイルから抽出し、抽出したそれら景品データを施設端末装置１３，１４に送信する（景品データ第１送信手段）。施設端末装置１３，１４のディスプレイ２１には、サーバ１９から送信された景品データが表示される。検索一覧表示エリア（Ａ３）の商品コード表示エリアには景品の商品コードが表示され、品名表示エリアには景品名が表示され、単価表示エリアには景品の単価が表示される（図１６参照）。
【００７７】
施設端末装置１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【００７８】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データを受発注管理サーバ１９に送信する。サーバ１９は、施設端末装置１３，１４から発注予定の景品データを受信すると、それら景品データに基づいて発注予定の景品の発注伝票を作成する（発注伝票作成手段）。サーバ１９は、作成した発注伝票をインターネット２０を介して施設端末装置１３，１４と仕入先端末装置１７，１８とにメール送信する（景品データ第２送信手段）。サーバ１９から送信された発注伝票は、施設端末装置１３，１４や仕入先端末装置１７，１８のディスプレイ２１，２２に表示される他（図８参照）、プリンタから出力することができる。
【００７９】
景品のサイズに対応した景品データを検索可能な受発注システム１０は、サーバ１９が景品データを景品のサイズ別に区分して記憶し、カタログ雑誌に掲載された景品のサイズ情報が電子データとしてサーバ１９に一元的に管理され、インターネット２０を介してサイズデータがサーバ１９から施設端末装置１３，１４に送信されるから、端末装置１３，１４を介してカタログの中から所定のサイズの景品のみを迅速に検索することができる。この受発注システム１０は、選択したカタログの中から景品の希望のサイズを指定することが可能であり、サイズを指定しつつそのサイズを有する景品の中から発注する景品を選ぶことができ、サイズを手がかりとして発注する景品を各アミューズメント施設１１，１２において速やかに選び出すことができる。
【００８０】
図１７，図１８は、カタログ検索のうちの価格帯指定の一例を説明する図である。価格帯指定では、カタログ検索およびページ指定を行った後、価格帯を指定し、価格帯に対応する景品から発注する景品が選択される。ページは１〜５ページが指定されている。それら図に基づいて、価格帯指定の一例を説明すると、以下のとおりである。なお、認証手続きやカタログ検索、ページ指定の手順は図２〜図５において説明したそれらと同一である。また、価格帯以外の指定は行わないものとする。
【００８１】
カタログを選択し、ページを指定した後、必要があれば、価格帯を指定する。価格帯ボタン（Ｂ１２）を押すと、価格帯入力エリアおよび価格帯のプルダウンリスト（Ｌ６）が表示される。価格帯入力エリアに価格帯を入力し（複数入力可）またはプルダウンリスト（Ｌ６）から希望の価格帯を選び（複数選択可）、価格帯を指定する。価格帯をブランクにすると、全価格帯指定となる。価格帯を指定した後、検索ボタン（Ｂ５）を押すと、サーバ１９は、選択された仕入先１５，１６の支店におけるカタログデータをハードディスクの景品関係データファイルから抽出しつつ、抽出したカタログデータの指定されたページかつ指定された価格帯における景品データを景品関係データファイルから抽出し、抽出したそれら景品データを施設端末装置１３，１４に送信する（景品データ第１送信手段）。施設端末装置１３，１４のディスプレイ２１には、サーバ１９から送信された景品データが表示される。検索一覧表示エリア（Ａ３）の商品コード表示エリアには景品の商品コードが表示され、品名表示エリアには景品名が表示され、単価表示エリアには景品の単価が表示される（図１８参照）。
【００８２】
施設端末装置１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【００８３】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データを受発注管理サーバ１９に送信する。サーバ１９は、施設端末装置１３，１４から発注予定の景品データを受信すると、それら景品データに基づいて発注予定の景品の発注伝票を作成する（発注伝票作成手段）。サーバ１９は、作成した発注伝票をインターネット２０を介して施設端末装置１３，１４と仕入先端末装置１７，１８とにメール送信する（景品データ第２送信手段）。サーバ１９から送信された発注伝票は、施設端末装置１３，１４や仕入先端末装置１７，１８のディスプレイ２１に表示される他（図８参照）、プリンタから出力することができる。
【００８４】
景品の価格帯に対応した景品データを検索可能な受発注システム１０は、サーバ１９が景品データを景品の価格帯別に区分して記憶し、カタログ雑誌に掲載された景品の価格帯情報が電子データとしてサーバ１９に一元的に管理され、インターネット２０を介して価格帯データがサーバ１９から施設端末装置１３，１４に送信されるから、端末装置１３，１４を介してカタログの中から所定の価格帯の景品のみを迅速に検索することができる。この受発注システム１０は、選択したカタログの中から景品の希望の価格帯を指定することが可能であり、価格帯を指定しつつその価格帯の景品の中から発注する景品を選ぶことができ、価格帯を手がかりとして発注する景品を各アミューズメント施設１１，１２において速やかに選び出すことができる。
【００８５】
図１９，図２０は、カタログ検索のうちの商品コード指定の一例を説明する図である。商品コード指定では、カタログ検索およびページ指定を行った後、商品コードを指定し、商品コードに対応する景品から発注する景品が選択される。ページは１〜５ページが指定されている。それら図に基づいて、商品コード指定の一例を説明すると、以下のとおりである。なお、認証手続きやカタログ検索、ページ指定の手順は図２〜図５において説明したそれらと同一である。また、商品コード以外の指定は行わないものとする。
【００８６】
カタログを選択し、ページを指定した後、必要があれば、商品コードを指定する。商品コードボタン（Ｂ１３）を押すと、商品コード入力エリアおよび商品コードのプルダウンリスト（Ｌ７）が表示される。商品コード入力エリアに商品コードを入力し（複数入力可）またはプルダウンリスト（Ｌ７）から希望の商品コードを選び（複数選択可）、商品コードを指定する。商品コードをブランクにすると、全商品コード指定となる。商品コードを指定した後、検索ボタン（Ｂ５）を押すと、サーバ１９は、選択された仕入先１５，１６の支店におけるカタログデータをハードディスクの景品関係データファイルから抽出しつつ、抽出したカタログデータの指定されたページかつ指定された商品コードにおける景品データを景品関係データファイルから抽出し、抽出したそれら景品データを施設端末装置１３，１４に送信する（景品データ第１送信手段）。施設端末装置１３，１４のディスプレイ２１には、サーバ１９から送信された景品データが表示される。検索一覧表示エリア（Ａ３）の商品コード表示エリアには景品の商品コードが表示され、品名表示エリアには景品名が表示され、単価表示エリアには景品の単価が表示される（図２０参照）。
【００８７】
施設端末装置１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【００８８】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データを受発注管理サーバ１９に送信する。サーバ１９は、施設端末装置１３，１４から発注予定の景品データを受信すると、それら景品データに基づいて発注予定の景品の発注伝票を作成する（発注伝票作成手段）。サーバ１９は、作成した発注伝票をインターネット２０を介して施設端末装置１３，１４と仕入先端末装置１７，１８とにメール送信する（景品データ第２送信手段）。サーバ１９から送信された発注伝票は、施設端末装置１３，１４や仕入先端末装置１７，１８のディスプレイ２１，２２に表示される他（図８参照）、プリンタから出力することができる。
【００８９】
景品の商品コードに対応した景品データを検索可能な受発注システム１０は、サーバ１９が景品データを景品の商品コード別に区分して記憶し、カタログ雑誌に掲載された景品の商品コード情報が電子データとしてサーバ１９に一元的に管理され、インターネット２０を介して商品コードデータがサーバ１９から施設端末装置１３，１４に送信されるから、端末装置１３，１４を介してカタログの中から所定の商品コードの景品のみを迅速に検索することができる。この受発注システム１０は、選択したカタログの中から希望の商品コードを指定することが可能であり、商品コードを指定しつつその商品コードの景品の中から発注する景品を選ぶことができ、商品コードを手がかりとして発注する景品を各アミューズメント施設１１，１２において速やかに選び出すことができる。
【００９０】
図２１，図２２は、カタログ検索のうちの景品名指定の一例を説明する図である。景品名指定では、カタログ検索およびページ指定を行った後、景品名を指定し、景品名に対応する景品から発注する景品が選択される。ページは１〜５ページが指定されている。それら図に基づいて、景品名指定の一例を説明すると、以下のとおりである。なお、認証手続きやカタログ検索、ページ指定の手順は図２〜図５において説明したそれらと同一である。また、景品名以外の指定は行わないものとする。
【００９１】
カタログを選択し、ページを指定した後、必要があれば、景品名を指定する。景品名ボタン（Ｂ１４）を押すと、景品名入力エリアおよび景品名のプルダウンリスト（Ｌ８）が表示される。景品名入力エリアに景品名を入力し（複数入力可）またはプルダウンリスト（Ｌ８）から希望の景品名を選び（複数選択可）、景品名を指定する。景品名をブランクにすると、全景品名指定となる。景品名を指定した後、検索ボタン（Ｂ５）を押すと、サーバ１９は、選択された仕入先１５，１６の支店におけるカタログデータをハードディスクの景品関係データファイルから抽出しつつ、抽出したカタログデータの指定されたページかつ指定された景品名における景品データを景品関係データファイルから抽出し、抽出したそれら景品データを施設端末装置１３，１４に送信する（景品データ第１送信手段）。施設端末装置１３，１４のディスプレイ２１には、サーバ１９から送信された景品データが表示される。検索一覧表示エリア（Ａ３）の商品コード表示エリアには景品の商品コードが表示され、品名表示エリアには景品名が表示され、単価表示エリアには景品の単価が表示される（図２２参照）。
【００９２】
施設端末装置１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【００９３】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データを受発注管理サーバ１９に送信する。サーバ１９は、施設端末装置１３，１４から発注予定の景品データを受信すると、それら景品データに基づいて発注予定の景品の発注伝票を作成する（発注伝票作成手段）。サーバ１９は、作成した発注伝票をインターネット２０を介して施設端末装置１３，１４と仕入先端末装置１７，１８とにメール送信する（景品データ第２送信手段）。サーバ１９から送信された発注伝票は、施設端末装置１３，１４や仕入先端末装置１７，１８のディスプレイ２１に表示される他（図８参照）、プリンタから出力することができる。
【００９４】
景品名に対応した景品データを検索可能な受発注システム１０は、サーバ１９が景品データを景品の景品名別に区分して記憶し、カタログ雑誌に掲載された景品の景品名情報が電子データとしてサーバ１９に一元的に管理され、インターネット２０を介して景品名データがサーバ１９から施設端末装置１３，１４に送信されるから、端末装置１３，１４を介してカタログの中から所定の景品名の景品のみを迅速に検索することができる。この受発注システム１０は、選択したカタログの中から希望の景品名を指定することが可能であり、景品名を指定しつつその景品名の景品の中から発注する景品を選ぶことができ、景品名を手がかりとして発注する景品を各アミューズメント施設１１，１２において速やかに選び出すことができる。
【００９５】
図２〜図２２に示すカタログ検索では、検索条件入力エリア（Ａ２）に表示される各種条件のうち、カタログ選択は必須であるが、他の条件は任意に選択することができる。また、任意の条件は複数選択が可能である。たとえば、ページ、景品種別、メーカー、キャラクター、サイズ、価格帯、商品コード、景品名の少なくとも一つを選択することができる。それらの２つ以上を選択すると、それら条件をすべて満たした景品データが表示される。
【００９６】
図２３，図２４は、商品検索の一例を説明する図である。それら図に基づいて、商品検索の一例を説明すると、以下のとおりである。なお、認証手続きやカタログ検索、ページ指定の手順は図２〜図５において説明したそれらと同一である。発注書入力画面において、発注先のプルダウンリストから発注先を選択し（全発注先選択可）、発注先支店のプルダウンリストから発注先支店を選択する（全支店選択可）。それらを選択すると、受発注管理サーバ１９は、選択された発注先の選択された支店における景品関係データファイルや商品関係データファイルをハードディスクから取り出す。商品を検索するには、商品検索ボタン（Ｂ２）を押す。商品検索ボタン（Ｂ２）を押すと、図２３に示すように、検索条件入力エリア（Ａ２）に各種の条件選択ボタンが表示される。条件選択ボタンには、商品分類（商品種別）選択ボタン（Ｂ１８）、商品コード入力エリア（Ｌ９）、商品名入力エリア（Ｌ１０）がある。
【００９７】
商品分類選択ボタン（Ｂ１８）を押すと、図２４に示すように、発注書入力画面に商品分類のプルダウンリスト（Ｌ１１）が表示され、プルダウンリスト（Ｌ１１）から希望の商品分類を選択する（全分類選択可）。商品分類を選択した後、検索ボタン（Ｂ５）を押すと、サーバ１９は、選択された仕入先１５，１６の支店における指定された商品分類に対応する商品データをハードディスクの商品関係データファイルから抽出し、抽出したそれら商品データを施設端末装置１３，１４に送信する（商品データ第１送信手段）。商品コード入力エリア（Ｌ９）に所定の商品コードを入力し、検索ボタン（Ｂ５）を押すと、選択された仕入先１５，１６の支店における指定された商品コードに対応する商品データをハードディスクの商品関係データファイルから抽出し、抽出したそれら商品データを施設端末装置１３，１４に送信する（商品データ第１送信手段）。また、商品名入力エリア（Ｌ１０）に所定の商品名を入力し、検索ボタン（Ｂ５）を押すと、選択された仕入先１５，１６の支店における指定された商品名に対応する商品データをハードディスクの商品関係データファイルから抽出し、抽出したそれら商品データを施設端末装置１３，１４に送信する（商品データ第１送信手段）。施設端末装置１３，１４のディスプレイ２１の検索一覧表示エリア（Ａ３）には、サーバ１９から送信された商品データが表示される。検索一覧表示エリア（Ａ３）の商品コード表示エリアには商品の商品コードが表示され、品名表示エリアには商品名が表示され、単価表示エリアには商品の単価が表示される（図示せず）。
【００９８】
施設端末装置１３，１４において、ディスプレイ２１の検索一覧表示エリア（Ａ３）に表示された商品データのうち、発注予定の商品データを選択する。ディスプレイ２１の検索一覧表示エリア（Ａ３）において発注予定の商品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【００９９】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された商品データを受発注管理サーバ１９に送信する。サーバ１９は、施設端末装置１３，１４から発注予定の商品データを受信すると、それら商品データに基づいて発注予定の商品の発注伝票を作成する（発注伝票作成手段）。サーバ１９は、作成した発注伝票をインターネット２０を介して施設端末装置１３，１４と仕入先端末装置１７，１８とにメール送信する（商品データ第２送信手段）。サーバ１９から送信された発注伝票は、施設端末装置１３，１４や仕入先端末装置１７，１８のディスプレイ２１，２２に表示される他（図８参照）、プリンタから出力することができる。図２３，図２４に示す商品検索では、検索条件入力エリア（Ａ２）に表示される各種条件の複数選択が可能である。たとえば、商品種別、商品コード、商品名ページの少なくとも一つを選択することができる。それらの２つ以上を選択すると、それら条件をすべて満たした景品データが表示される。
【０１００】
この受発注システム１０は、サーバ１９が景品を除く残余の商品の商品データを記憶し、各種複数の商品が電子データとしてサーバ１９に一元的に管理され、インターネット２０を介して商品データがサーバ１９から施設端末装置１３，１４に送信されるから、端末装置１３，１４を介して各種複数の商品データの中から必要なそれを迅速に検索することができ、各アミューズメント施設１１，１２において発注する商品を速やかに選び出すことができる。受発注システム１０は、商品の商品種別情報や商品コード情報、商品名情報が電子データとしてサーバ１９に一元的に管理され、インターネット２０を介して商品種別データや商品コードデータ、商品名データがサーバ１９から施設端末装置１３，１４に送信されるから、端末装置１３，１４を介して必要な商品種別、商品コード、商品名を迅速に検索することができる。この受発注システム１０は、希望の商品種別や商品コード、商品名を指定することが可能であり、商品種別や商品コード、商品名を指定しつつ商品種別や商品コード、商品名に属する商品の中から発注する商品を選ぶことができ、商品種別や商品コード、商品名を手がかりとして発注する商品を各アミューズメント施設１１，１２において速やかに選び出すことができる。
【０１０１】
図２５，図２６は、景品検索のうちの景品種別指定の一例を説明する図である。それら図に基づいて、景品種別指定の一例を説明すると、以下のとおりである。なお、認証手続きやカタログ検索、ページ指定の手順は図２〜図５において説明したそれらと同一である。発注書入力画面において、発注先のプルダウンリストから発注先を選択し（全発注先選択可）、発注先支店のプルダウンリストから発注先支店を選択する（全支店選択可）。それらを選択すると、受発注管理サーバ１９は、選択された発注先の選択された支店における景品関係データファイルや商品関係データファイルをハードディスクから取り出す。景品を検索するには、景品検索ボタン（Ｂ３）を押す。景品検索ボタン（Ｂ３）を押すと、図２５に示すように、検索条件入力エリア（Ａ２）に各種の条件選択ボタンが表示される。条件選択ボタンには、景品種別選択ボタン（Ｂ１９）、メーカー選択ボタン（Ｂ２０）、キャラクター選択ボタン（Ｂ２１）、サイズ選択ボタン（Ｂ２２）、価格帯選択ボタン（Ｂ２３）、商品コード選択ボタン（Ｂ２４）、景品名選択ボタン（Ｂ２５）がある。
【０１０２】
景品種別から景品を選ぶ場合は、景品種別から希望のそれを指定する。景品種別ボタン（Ｂ１９）を押すと、景品種別のプルダウンリスト（Ｌ１２）が表示される。プルダウンリスト（Ｌ１２）から希望の景品種別を選び（複数選択可）、景品種別を指定する。景品種別をブランクにすると、全景品種別指定となる。景品種別を指定した後、検索ボタン（Ｂ５）を押すと、サーバ１９は、選択された仕入先１５，１６の支店の指定された景品種別における景品データをハードディスクの景品関係データファイルから抽出し、抽出したそれら景品データを施設端末装置１３，１４に送信する（景品データ第３送信手段）。施設端末装置１３，１４のディスプレイ２１には、サーバ１９から送信された景品データが表示される。検索一覧表示エリア（Ａ３）の商品コード表示エリアには景品の商品コードが表示され、品名表示エリアには景品名が表示され、単価表示エリアには景品の単価が表示される（図２６参照）。
【０１０３】
施設端末装置において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【０１０４】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データを受発注管理サーバ１９に送信する。サーバ１９は、施設端末装置１３，１４から発注予定の景品データを受信すると、それら景品データに基づいて発注予定の景品の発注伝票を作成する（発注伝票作成手段）。サーバ１９は、作成した発注伝票をインターネット２０を介して施設端末装置１３，１４と仕入先端末装置１７，１８とにメール送信する（景品データ第２送信手段）。サーバ１９から送信された発注伝票は、施設端末装置１３，１４や仕入先端末装置１７，１８のディスプレイに表示される他（図８参照）、プリンタから出力することができる。
【０１０５】
図２７，図２８は、景品検索のうちのメーカー指定の一例を説明する図である。それら図に基づいて、メーカー指定の一例を説明すると、以下のとおりである。なお、認証手続きやカタログ検索、ページ指定の手順は図２〜図５において説明したそれらと同一である。また、メーカー指定前までの景品検索の手順は図２５において説明したそれと同一である。
【０１０６】
メーカーから景品を選ぶ場合は、メーカーから希望のそれを指定する。メーカーボタン（Ｂ２０）を押すと、メーカー入力エリアおよびメーカーのプルダウンリスト（Ｌ１３）が表示される。メーカー入力エリアにメーカーを入力し（複数入力可）またはプルダウンリスト（Ｌ１３）から希望のメーカーを選び（複数選択可）、メーカーを指定する。メーカーをブランクにすると、全メーカー指定となる。メーカーを指定した後、検索ボタン（Ｂ５）を押すと、サーバ１９は、選択された仕入先１５，１６の支店の指定されたメーカーにおける景品データをハードディスクの景品関係データファイルから抽出し、抽出したそれら景品データを施設端末装置１３，１４に送信する（景品データ第３送信手段）。施設端末装置１３，１４のディスプレイ２１には、サーバ１９から送信された景品データが表示される。検索一覧表示エリア（Ａ３）の商品コード表示エリアには景品の商品コードが表示され、品名表示エリアには景品名が表示され、単価表示エリアには景品の単価が表示される（図２８参照）。
【０１０７】
施設端末装置１３，１４において、ディスプレイ２１の検索一覧表示エリア（Ａ３）に表示された景品データのうち、発注予定の景品データを選択する。ディスプレイ２１の検索一覧表示エリア（Ａ３）において発注予定の景品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【０１０８】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データを受発注管理サーバ１９に送信する。サーバ１９は、施設端末装置１３，１４から発注予定の景品データを受信すると、それら景品データに基づいて発注予定の景品の発注伝票を作成する（発注伝票作成手段）。サーバ１９は、作成した発注伝票をインターネット２０を介して施設端末装置１３，１４と仕入先端末装置１７，１８とにメール送信する（景品データ第２送信手段）。サーバ１９から送信された発注伝票は、施設端末装置１３，１４や仕入先端末装置１７，１８のディスプレイ２１，２２に表示される他（図８参照）、プリンタから出力することができる。
【０１０９】
図２９，図３０は、景品検索のうちのキャラクター指定の一例を説明する図である。それら図に基づいて、メーカー指定の一例を説明すると、以下のとおりである。なお、認証手続きやカタログ検索、ページ指定の手順は図２〜図５において説明したそれらと同一である。また、メーカー指定前までの景品検索の手順は図２５において説明したそれと同一である。
【０１１０】
メーカーから景品を選ぶ場合は、メーカーから希望のそれを指定する。メーカーボタン（Ｂ２０）を押すと、メーカー入力エリアおよびメーカーのプルダウンリスト（Ｌ１４）が表示される。メーカー入力エリアにメーカーを入力し（複数入力可）またはプルダウンリスト（Ｌ１４）から希望のメーカーを選び（複数選択可）、メーカーを指定する。メーカーをブランクにすると、全メーカー指定となる。メーカーを指定した後、検索ボタン（Ｂ５）を押すと、サーバ１９は、選択された仕入先１５，１６の支店の指定されたメーカーにおける景品データをハードディスクの景品関係データファイルから抽出し、抽出したそれら景品データを施設端末装置１３，１４に送信する（景品データ第３送信手段）。施設端末装置１３，１４のディスプレイ２１には、サーバ１９から送信された景品データが表示される。検索一覧表示エリア（Ａ３）の商品コード表示エリアには景品の商品コードが表示され、品名表示エリアには景品名が表示され、単価表示エリアには景品の単価が表示される（図３０参照）。
【０１１１】
施設端末装置１３，１４において、ディスプレイ２１の検索一覧表示エリア（Ａ３）に表示された景品データのうち、発注予定の景品データを選択する。ディスプレイ２１の検索一覧表示エリア（Ａ３）において発注予定の景品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【０１１２】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データを受発注管理サーバ１９に送信する。サーバ１９は、施設端末装置１３，１４から発注予定の景品データを受信すると、それら景品データに基づいて発注予定の景品の発注伝票を作成する（発注伝票作成手段）。サーバ１９は、作成した発注伝票をインターネット２０を介して施設端末装置１３，１４と仕入先端末装置１７，１８とにメール送信する（景品データ第２送信手段）。サーバ１９から送信された発注伝票は、施設端末装置１３，１４や仕入先端末装置１７，１８のディスプレイ２１に表示される他（図８参照）、プリンタから出力することができる。
【０１１３】
図３１，図３２は、景品検索のうちのサイズ指定の一例を説明する図である。それら図に基づいて、サイズ指定の一例を説明すると、以下のとおりである。なお、認証手続きやカタログ検索、ページ指定の手順は図２〜図５において説明したそれらと同一である。また、メーカー指定前までの景品検索の手順は図２５において説明したそれと同一である。
【０１１４】
サイズから景品を選ぶ場合は、サイズから希望のそれを指定する。サイズボタン（Ｂ２２）を押すと、サイズのプルダウンリスト（Ｌ１５）が表示される。プルダウンリスト（Ｌ１５）から希望のサイズを選び（複数選択可）、サイズを指定する。サイズをブランクにすると、全サイズ指定となる。サイズを指定した後、検索ボタン（Ｂ５）を押すと、サーバ１９は、選択された仕入先１５，１６の支店の指定されたサイズにおける景品データをハードディスクの景品関係データファイルから抽出し、抽出したそれら景品データを施設端末装置１３，１４に送信する（景品データ第３送信手段）。施設端末装置１３，１４のディスプレイ２１には、サーバ１９から送信された景品データが表示される。検索一覧表示エリア（Ａ３）の商品コード表示エリアには景品の商品コードが表示され、品名表示エリアには景品名が表示され、単価表示エリアには景品の単価が表示される（図３２参照）。
【０１１５】
施設端末装置１３，１４において、ディスプレイ２１の検索一覧表示エリア（Ａ３）に表示された景品データのうち、発注予定の景品データを選択する。ディスプレイ２１の検索一覧表示エリア（Ａ３）において発注予定の景品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【０１１６】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データを受発注管理サーバ１９に送信する。サーバ１９は、施設端末装置１３，１４から発注予定の景品データを受信すると、それら景品データに基づいて発注予定の景品の発注伝票を作成する（発注伝票作成手段）。サーバ１９は、作成した発注伝票をインターネット２０を介して施設端末装置１３，１４と仕入先端末装置１７，１８とにメール送信する（景品データ第２送信手段）。サーバ１９から送信された発注伝票は、施設端末装置１３，１４や仕入先端末装置１７，１８のディスプレイ２１，２２に表示される他（図８参照）、プリンタから出力することができる。
【０１１７】
図３３，図３４は、景品検索のうちの価格帯指定の一例を説明する図である。それら図に基づいて、価格帯指定の一例を説明すると、以下のとおりである。なお、認証手続きやカタログ検索、ページ指定の手順は図２〜図５において説明したそれらと同一である。また、メーカー指定前までの景品検索の手順は図２５において説明したそれと同一である。
【０１１８】
価格帯から景品を選ぶ場合は、価格帯から希望のそれを指定する。価格帯ボタン（Ｂ２３）を押すと、価格帯入力エリアおよび価格帯のプルダウンリスト（Ｌ１６）が表示される。価格帯入力エリアに価格帯を入力し（複数入力可）またはプルダウンリスト（Ｌ１６）から希望の価格帯を選び（複数選択可）、価格帯を指定する。価格帯をブランクにすると、全価格帯指定となる。価格帯を指定した後、検索ボタン（Ｂ５）を押すと、サーバ１９は、選択された仕入先１５，１６の支店の指定された価格帯における景品データをハードディスクの景品関係データファイルから抽出し、抽出したそれら景品データを施設端末装置１３，１４に送信する（景品データ第３送信手段）。施設端末装置１３，１４のディスプレイ２１には、サーバ１９から送信された景品データが表示される。検索一覧表示エリア（Ａ３）の商品コード表示エリアには景品の商品コードが表示され、品名表示エリアには景品名が表示され、単価表示エリアには景品の単価が表示される（図３４参照）。
【０１１９】
施設端末装置１３，１４において、ディスプレイ２１の検索一覧表示エリア（Ａ３）に表示された景品データのうち、発注予定の景品データを選択する。ディスプレイ２１の検索一覧表示エリア（Ａ３）において発注予定の景品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【０１２０】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データを受発注管理サーバ１９に送信する。サーバ１９は、施設端末装置１３，１４から発注予定の景品データを受信すると、それら景品データに基づいて発注予定の景品の発注伝票を作成する（発注伝票作成手段）。サーバ１９は、作成した発注伝票をインターネット２０を介して施設端末装置１３，１４と仕入先端末装置１７，１８とにメール送信する（景品データ第２送信手段）。サーバ１９から送信された発注伝票は、施設端末装置１３，１４や仕入先端末装置１７，１８のディスプレイ２１，２２に表示される他（図８参照）、プリンタから出力することができる。
【０１２１】
図３５，図３６は、景品検索のうちの商品コード指定の一例を説明する図である。それら図に基づいて、商品コード指定の一例を説明すると、以下のとおりである。なお、認証手続きやカタログ検索、ページ指定の手順は図２〜図５において説明したそれらと同一である。また、メーカー指定前までの景品検索の手順は図２５において説明したそれと同一である。
【０１２２】
商品コードから景品を選ぶ場合は、商品コードから希望のそれを指定する。商品コードボタン（Ｂ２４）を押すと、商品コード入力エリアおよび商品コードのプルダウンリスト（Ｌ１７）が表示される。商品コード入力エリアに商品コードを入力し（複数入力可）またはプルダウンリスト（Ｌ１７）から希望の商品コードを選び（複数選択可）、商品コードを指定する。商品コードをブランクにすると、全商品コード指定となる。商品コードを指定した後、検索ボタン（Ｂ５）を押すと、サーバ１９は、選択された仕入先１５，１６の支店の指定された商品コードにおける景品データをハードディスクの景品関係データファイルから抽出し、抽出したそれら景品データを施設端末装置１３，１４に送信する（景品データ第３送信手段）。施設端末装置１３，１４のディスプレイ２１には、サーバ１９から送信された景品データが表示される。検索一覧表示エリア（Ａ３）の商品コード表示エリアには景品の商品コードが表示され、品名表示エリアには景品名が表示され、単価表示エリアには景品の単価が表示される（図３６参照）。
【０１２３】
施設端末装置１３，１４において、ディスプレイ２１の検索一覧表示エリア（Ａ１）に表示された景品データのうち、発注予定の景品データを選択する。ディスプレイ２１の検索一覧表示エリア（Ａ１）において発注予定の景品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【０１２４】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データを受発注管理サーバ１９に送信する。サーバ１９は、施設端末装置１３，１４から発注予定の景品データを受信すると、それら景品データに基づいて発注予定の景品の発注伝票を作成する（発注伝票作成手段）。サーバ１９は、作成した発注伝票をインターネット２０を介して施設端末装置１３，１４と仕入先端末装置１７，１８とにメール送信する（景品データ第２送信手段）。サーバ１９から送信された発注伝票は、施設端末装置１３，１４や仕入先端末装置１７，１８のディスプレイ２１，２２に表示される他（図８参照）、プリンタから出力することができる。
【０１２５】
図３７，図３８は、景品検索のうちの景品名指定の一例を説明する図である。それら図に基づいて、景品名指定の一例を説明すると、以下のとおりである。なお、認証手続きやカタログ検索、ページ指定の手順は図２〜図５において説明したそれらと同一である。また、メーカー指定前までの景品検索の手順は図２５において説明したそれと同一である。
【０１２６】
景品名から景品を選ぶ場合は、景品名から希望のそれを指定する。景品名ボタン（Ｂ２５）を押すと、景品名入力エリアおよび景品名のプルダウンリスト（Ｌ１８）が表示される。景品名入力エリアに景品名を入力し（複数入力可）またはプルダウンリスト（Ｌ１８）から希望の景品名を選び（複数選択可）、景品名を指定する。景品名をブランクにすると、全景品名指定となる。景品名を指定した後、検索ボタン（Ｂ５）を押すと、サーバ１９は、選択された仕入先１５，１６の支店の指定された景品名における景品データをハードディスクの景品関係データファイルから抽出し、抽出したそれら景品データを施設端末装置１３，１４に送信する（景品データ第３送信手段）。施設端末装置１３，１４のディスプレイ２１には、サーバ１９から送信された景品データが表示される。検索一覧表示エリア（Ａ３）の商品コード表示エリアには景品の商品コードが表示され、品名表示エリアには景品名が表示され、単価表示エリアには景品の単価が表示される（図３６参照）。
【０１２７】
施設端末装置１３，１４において、ディスプレイ２１の検索一覧表示エリア（Ａ３）に表示された景品データのうち、発注予定の景品データを選択する。ディスプレイ２１の検索一覧表示エリア（Ａ３）において発注予定の景品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【０１２８】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データを受発注管理サーバ１９に送信する。サーバ１９は、施設端末装置１３，１４から発注予定の景品データを受信すると、それら景品データに基づいて発注予定の景品の発注伝票を作成する（発注伝票作成手段）。サーバ１９は、作成した発注伝票をインターネット２０を介して施設端末装置１３，１４と仕入先端末装置１７，１８とにメール送信する（景品データ第２送信手段）。サーバ１９から送信された発注伝票は、施設端末装置１３，１４や仕入先端末装置１７，１８のディスプレイ２１，２２に表示される他（図８参照）、プリンタから出力することができる。
【０１２９】
図２５〜図３８に示す景品検索では、検索条件入力エリアに表示される各種条件を任意に選択することができる。また、任意の条件は複数選択が可能である。たとえば、景品種別、メーカー、キャラクター、サイズ、価格帯、商品コード、景品名の少なくとも一つを選択することができる。それらの２つ以上を選択すると、それら条件をすべて満たした景品データが表示される。
【０１３０】
図３９は、最近発注検索の一例を説明する図である。発注先のプルダウンリストから発注先を選択し（全発注先選択可）、発注先支店のプルダウンリストから発注先支店を選択する（全支店選択可）。最近発注を検索するには、最近発注ボタン（Ｂ４）を押す。最近発注ボタン（Ｂ４）を押すと、図３９に示すように、検索期間入力エリア（Ａ８）と検索件数入力エリア（Ａ９）とが表示される。検索期間入力エリア（Ａ８）に検索期間を入力しまたは検索件数入力エリア（Ａ９）に検索件数を入力する。
【０１３１】
それらを入力した後、検索ボタン（Ｂ５）を押すと、サーバ１９は、選択された仕入先１５，１６の支店における選択された検索期間または検索件数における景品データおよび商品データをデータファイルから抽出し、抽出したそれら景品データや商品データを施設端末装置１３，１４に送信する。施設端末装置１３，１４のディスプレイ２１には、サーバ１９から送信された景品データや商品データが表示される。検索一覧表示エリア（Ａ３）の商品コード表示エリアには景品の商品コードが表示され、品名表示エリアには景品名が表示され、単価表示エリアには景品の単価が表示される。
【０１３２】
最近発注検索をした後、施設端末装置１３，１４において、ディスプレイ２１の検索一覧表示エリア（Ａ３）に表示された景品データや商品データのうち、発注予定の景品データや商品データを選択する。ディスプレイ２１の検索一覧表示エリア（Ａ３）において発注予定の景品データや商品データを反転させると、そのデータが発注景品発注商品表示エリア（Ａ１）に表示される（図６参照）。発注書入力画面において、納入予定日入力エリア（Ａ５）に納入入予定日を入力するとともに、発注景品発注商品表示エリア（Ａ１）の数量表示エリア（Ａ６）に発注数量を入力すると、サーバ１９は、発注景品発注商品表示エリア（Ａ１）の納入予定日表示エリアに納入予定日を表示し、数量に単価を掛け合わせて金額を計算し、金額を金額表示エリア（Ａ７）に表示する（図７参照）。
【０１３３】
次に、メール送信チェックボックス（Ｂ１５）にチェックマークを入れ、印刷チェックボックス（Ｂ１６）にチェックマークを入れた後、登録ボタン（Ｂ１７）を押す。登録ボタン（Ｂ１７）を押すと、施設端末装置１３，１４は、発注景品発注商品表示エリア（Ａ１）に表示された景品データや商品データを受発注管理サーバ１９に送信する。サーバ１９は、施設端末装置１３，１４から発注予定の景品データや商品データを受信すると、それら景品データや商品データに基づいて発注予定の景品の発注伝票を作成する（発注伝票作成手段）。サーバ１９は、作成した発注伝票をインターネット２０を介して施設端末装置１３，１４と仕入先端末装置１７，１８とにメール送信する（景品データ第２送信手段）。サーバ１９から送信された発注伝票は、施設端末装置１３，１４や仕入先端末装置１７，１８のディスプレイ２１，２２に表示される他（図８参照）、プリンタから出力することができる。
【図面の簡単な説明】
【０１３４】
【図１】一例として示す受発注システムの構成図。
【図２】カタログ検索の一例を説明する図。
【図３】カタログ検索の一例を説明する図。
【図４】カタログ検索の一例を説明する図。
【図５】カタログ検索の一例を説明する図。
【図６】仕入先への発注を説明する図。
【図７】仕入先への発注を説明する図。
【図８】端末装置のディスプレイに表示された発注伝票の一例を示す図。
【図９】カタログ検索のうちの景品種別指定の一例を説明する図。
【図１０】カタログ検索のうちの景品種別指定の一例を説明する図。
【図１１】カタログ検索のうちのメーカー指定の一例を説明する図。
【図１２】カタログ検索のうちのメーカー指定の一例を説明する図。
【図１３】カタログ検索のうちのキャラクター指定の一例を説明する図。
【図１４】カタログ検索のうちのキャラクター指定の一例を説明する図。
【図１５】カタログ検索のうちのサイズ指定の一例を説明する図。
【図１６】カタログ検索のうちのサイズ指定の一例を説明する図。
【図１７】カタログ検索のうちの価格帯指定の一例を説明する図。
【図１８】カタログ検索のうちの価格帯指定の一例を説明する図。
【図１９】カタログ検索のうちの商品コード指定の一例を説明する図。
【図２０】カタログ検索のうちの商品コード指定の一例を説明する図。
【図２１】カタログ検索のうちの景品名指定の一例を説明する図。
【図２２】カタログ検索のうちの景品名指定の一例を説明する図。
【図２３】商品検索の一例を説明する図。
【図２４】商品検索の一例を説明する図。
【図２５】景品検索のうちの景品種別指定の一例を説明する図。
【図２６】景品検索のうちの景品種別指定の一例を説明する図。
【図２７】景品検索のうちのメーカー指定の一例を説明する図。
【図２８】景品検索のうちのメーカー指定の一例を説明する図。
【図２９】景品検索のうちのキャラクター指定の一例を説明する図。
【図３０】景品検索のうちのキャラクター指定の一例を説明する図。
【図３１】景品検索のうちのサイズ指定の一例を説明する図。
【図３２】景品検索のうちのサイズ指定の一例を説明する図。
【図３３】景品検索のうちの価格帯指定の一例を説明する図。
【図３４】景品検索のうちの価格帯指定の一例を説明する図。
【図３５】景品検索のうちの商品コード指定の一例を説明する図。
【図３６】景品検索のうちの商品コード指定の一例を説明する図。
【図３７】景品検索のうちの景品名指定の一例を説明する図。
【図３８】景品検索のうちの景品名指定の一例を説明する図。
【図３９】最近発注検索の一例を説明する図。
【符号の説明】
【０１３５】
１０    受発注システム
１１    アミューズメント施設
１２    アミューズメント施設
１３    施設端末装置（第１端末装置）
１４    施設端末装置（第１端末装置）
１５    仕入先
１６    仕入先
１７    仕入先端末装置（第２端末装置）
１８    仕入先端末装置（第２端末装置）
１９    受発注管理サーバ（サーバ装置）
２０    インターネット
【図１】
2009258959.tif 000003
【図２】
2009258959.tif 000004
【図３】
2009258959.tif 000005
【図４】
2009258959.tif 000006
【図５】
2009258959.tif 000007
【図６】
2009258959.tif 000008
【図７】
2009258959.tif 000009
【図８】
2009258959.tif 000010
【図９】
2009258959.tif 000011
【図１０】
2009258959.tif 000012
【図１１】
2009258959.tif 000013
【図１２】
2009258959.tif 000014
【図１３】
2009258959.tif 000015
【図１４】
2009258959.tif 000016
【図１５】
2009258959.tif 000017
【図１６】
2009258959.tif 000018
【図１７】
2009258959.tif 000019
【図１８】
2009258959.tif 000020
【図１９】
2009258959.tif 000021
【図２０】
2009258959.tif 000022
【図２１】
2009258959.tif 000023
【図２２】
2009258959.tif 000024
【図２３】
2009258959.tif 000025
【図２４】
2009258959.tif 000026
【図２５】
2009258959.tif 000027
【図２６】
2009258959.tif 000028
【図２７】
2009258959.tif 000029
【図２８】
2009258959.tif 000030
【図２９】
2009258959.tif 000031
【図３０】
2009258959.tif 000032
【図３１】
2009258959.tif 000033
【図３２】
2009258959.tif 000034
【図３３】
2009258959.tif 000035
【図３４】
2009258959.tif 000036
【図３５】
2009258959.tif 000037
【図３６】
2009258959.tif 000038
【図３７】
2009258959.tif 000039
【図３８】
2009258959.tif 000040
【図３９】
2009258959.tif 000041